(57)【要約】【課題】救難区域において転覆し難く、かつ多くの浮遊物などの障害物による影響をなくすことで、安定した救命活動を可能にするプロペラ推進救命艇を提供する。【解決手段】船底２と、船底２の前側及び両側に固定されたフロート部３と、船底２の後部上に設けられ、軸芯を中心に回転可能なプロペラ１１で排出される排気によって当該救命艇１を水上で推進させるプロペラ推進機４とを備えている。フロート部３を、防舷性を有する樹脂製のチューブに硬質発泡ウレタンを充填して構成することで、転覆し難く、かつ多くの浮遊物などによる走行への影響をなくし、安定した救命活動を可能にすることができる。【選択図】図１
2020157965.tif 000002
【特許請求の範囲】
【請求項１】
船底と、
船首となる前記船底の前側及び、左右舷となる前記船底の両側、に固定されたフロート部と、
船尾となる前記船底の後部上に設けられ、軸芯を中心に回転可能なプロペラで排出される排気によって当該救命艇を水上で推進させるプロペラ推進機と、を備え、
前記フロート部は、中実筒状の樹脂製部材からなることを特徴とするプロペラ推進救命艇。
【請求項２】
前記フロート部は、防舷性を有する樹脂製のチューブに発泡性樹脂が充填されて構成されている請求項１に記載のプロペラ推進救命艇。
【請求項３】
前記プロペラ推進機は、前記船底に対して着脱自在、かつ前後移動可能に設けられている請求項１又は２に記載のプロペラ推進救命艇。
【請求項４】
当該プロペラ推進救命艇の横断面において前記船底が、前記フロート部の下端よりも下方に位置していると共に、前後方向に延びる水平部及びこの水平部側端から上斜め方向に向けて当該左右のフロート部下端に渡る傾斜部からなる請求項１〜３のいずれかに記載のプロペラ推進救命艇。
【請求項５】
前記船底に、陸上走行可能となる格納自在の車輪が設けられている請求項１〜４のいずれかに記載のプロペラ推進救命艇。
【発明の詳細な説明】
【技術分野】
【０００１】
本発明は、主に自然災害が発生したときに警察や消防などで要救助者の捜索及び救助に使用される船艇であり、特に土砂、倒木材などの多数の浮遊物が散乱している区域で安定して走行可能なプロペラ推進救命艇に関するものである。
【背景技術】
【０００２】
津波、洪水などの自然災害が発生した際、病人、子供、老人など多数の人が逃げ遅れる場合がある。要救助者が一時的にとどまっている家屋の内外、高台、避難所の周りには多くの土砂、倒木材、損壊した建材など、水上に多くの浮遊物が散乱していることが多い。そのような区域で要救助者を救命するため、水上の多数の障害物を分け入る救命艇が用いられる。
【０００３】
特許文献１には、船体の上部外縁に前方弧形チューブと後方チューブが分離して形成された船艇において、前方弧形チューブが船体の両側に固定され、前方弧形チューブの後端部と後方チューブの先端部を互いに着脱自在とし、船低の後部に水中で回るスクリューを備える推進機が設けられた人命救助用船艇が記載されている。
【０００４】
特許文献２には、船体後部にプロペラと、このプロペラを駆動する原動機とを備え、船体のほぼ中央に操縦者の座席を設置したプロペラ推進艇において、プロペラを船体後部の幅方向に一対設けるとともに、このプロペラを１つの原動機で駆動するようにし、原動機をプロペラ中心より下部に設けた推進艇が記載されている。
【先行技術文献】
【特許文献】
【０００５】
【特許文献１】特開２００８−１５００２７号公報
【特許文献２】特開平１０−２１８０８３号公報
【発明の概要】
【発明が解決しようとする課題】
【０００６】
特許文献１の人命救助用船艇では、船艇の後部に設けられた推進機のスクリューは水中で回転するため、多くの浮遊物が散乱している区域に入ると、そのスクリューに紐類、木の枝、植物などが絡まり、推進機を停止させてしまい、要救助者までたどり着けないか、そのような浮遊物の無い区域のみでの救助となる。また船体に浮力を与えるチューブに木の枝などの細長いものが突き刺さると、チューブ内のエアが抜けてしまい走行不能となるおそれもある。
【０００７】
特許文献２の推進艇の船体は、横断面Ｕ字型に形成された薄板状の船材からなる。そのため、災害地において多くの浮遊物などによる影響や不慮の波力によって左右に揺れ易く転覆しやすいといった問題がある。更に、船材に枝などの細長いものが突き刺さって浸水すれば、救命活動を中止することになるといった欠点もある。
【０００８】
本発明は従来技術の問題点に鑑み、救難区域において転覆し難く、かつ多くの浮遊物などの障害物による影響をなくすことで、安定した救命活動を可能にするプロペラ推進救命艇を提供することを目的とする。
【課題を解決するための手段】
【０００９】
本発明のプロペラ推進救命艇は、船底と、船首となる前記船底の前側及び、左右舷となる前記船底の両側、に固定されたフロート部と、船尾となる前記船底の後部上に設けられ、軸芯を中心に回転可能なプロペラで排出される排気によって当該救命艇を水上で推進させるプロペラ推進機と、を備え、前記フロート部は、中実筒状の樹脂製部材からなることを特徴とするものである。
【００１０】
本発明のプロペラ推進救命艇によれば、船首となる船底の前側及び、左右舷となる船底の両側に固定されたフロート部が、中実筒状の樹脂製部材からなるため、船艇に浮力を与えるフロート部に木の枝などの細長いものが突き刺さっても、エアが抜けるようなことはなく、救命艇の走行に全く影響せず、救命活動を続行することができる。軸芯を中心に回転可能なプロペラで排出される排気によって救命艇を水上で推進させるプロペラ推進機を、船尾となる船底の後部上に備えるため、多くの浮遊物などが散乱している区域に入っても、紐類、木の枝、植物などが、推進機の障害にならず停止させることがない。そのため、要救助者まで確実にたどり着くことができ、災害区域の広範囲での活動が可能となる。これらにより、転覆し難く、かつ多くの障害物による走行への影響をなくすことができ、安定した救命活動が可能となる。
【００１１】
前記フロート部を、例えば防舷性を有する樹脂製のチューブに発泡ウレタン樹脂を充填して構成したものとすればよい。この場合、フロート部を樹脂製の単一性の筒状部材で構成するよりも、船艇を軽くでき、かつ十分な浮力を簡易に得ることができる。
【００１２】
前記プロペラ推進機は、前記船底に対して着脱自在、かつ前後移動可能に設けられていることが好ましい。この場合、プロペラ推進機のメンテナンスが容易となり、またプロペラ推進救命艇に乗る人の重量に応じて、前後方向のバランスを調整でき、適切な推進力と安定性を得ることができる。
【００１３】
当該プロペラ推進救命艇の横断面において前記船底が、前記フロート部の下端よりも下方に位置していると共に、前後方向に延びる水平部及びこの水平部側端から上斜め方向に向けて当該左右のフロート部下端に渡る傾斜部からなるようにしてもよい。船艇をこのような水平部及び傾斜部からなる構成とすれば、水面からの船底の抵抗が減少し、救命艇を左右方向へ旋回させ易く、浮遊物を容易に避けることができる。
【００１４】
前記船底に、陸上走行可能となる格納自在の車輪を設けてもよい。この場合、車輪を船底から展開することで陸上での走行も可能となり、水面から岸辺などに上陸して要救助者を所要の箇所まで運ぶことができる。
【発明の効果】
【００１５】
本発明のとおり、船底の前側及び、船底の両側に固定されたフロート部が中実筒状の樹脂製部材からなるため、浮遊物などの障害物による救命艇の走行への影響はなく、救命活動を続行することができる。プロペラ推進機を船尾となる船底の後部上に備えるため、多数の障害物が散乱している区域で要救助者まで確実にたどり着くことができ、災害区域の広範囲での活動が可能となる。これらにより、転覆し難く、かつ多数の浮遊物などの障害物による走行への影響をなくし、安定した救命活動を可能にすることができる。
【図面の簡単な説明】
【００１６】
【図１】本発明の一実施形態に係るプロペラ推進機の側面図である。
【図２】プロペラ推進救命艇の平面図である。
【図３】プロペラ推進救命艇の底面図である。
【図４】プロペラ推進救命艇の正面図である。
【図５】プロペラ推進救命艇の背面図である。
【図６】プロペラ推進機を設置する前のプロペラ推進救命艇の平面図である。
【図７】プロペラ推進救命艇の実施例を示す斜視図である。
【図８】プロペラ推進救命艇の他の実施形態を示す側面図である。
【発明を実施するための形態】
【００１７】
本発明の実施形態について図面を参照して説明する。図１は本発明の一実施形態に係るプロペラ推進救命艇１の側面図であり、図２はプロペラ推進救命艇１の平面図である。図３はプロペラ推進救命艇１の底面図である。図４はプロペラ推進救命艇１の正面図であり、図５はプロペラ推進救命艇１の背面図である。本実施形態のプロペラ推進救命艇１は、主に自然災害が発生したときに警察や消防などで人命救助に使用される救命艇であり、前後方向に長い船底２と、船首となる船底２の前側及び、左右舷となる船底２の両側、に固定されたフロート部３と、船尾となる船底２の後部上に設けられたプロペラ推進機４とを備えている。
【００１８】
本実施形態のプロペラ推進救命艇１は、乗員５〜６名、総重量２００ｋｇ、全長４０００ｍｍ、全幅１８００ｍｍの小型船艇である。プロペラ推進救命艇１の横断面において船底２が、フロート部３の下端よりも下方に位置している。また同横断面において、船底２が前後方向に延びる水平部２ａ及びこの水平部２ａ側端から上斜め方向に向けて当該左右のフロート部３下端に渡る傾斜部２ｂで構成されている。船底２の構成材料は限定されないが、本実施形態では軽量、高強度のＦＲＰ成形品が用いられている。
【００１９】
船底２の上面には、操縦席５や計器類、プロペラ推進救命艇１を操舵及びスロットル操作するための操縦桿６が設置されている。フロート部３は断面略円形状であり、船底２の前側と左右両側とで全体としてＵ字状に一体的に構成されている。このフロート部３は、中実筒状の樹脂製部材からなるものであり、本実施形態では防舷性を有する樹脂製のチューブ７に、発泡性樹脂として硬質発泡ウレタン樹脂８が充填されて構成されている。そのため、プロペラ推進救命艇１を軽くでき、かつ十分な浮力を簡易に得ることができる。フロート部３の側面部分に硬質樹脂９が貼り付けられており、側方の強度を向上させている。
【００２０】
チューブ７を構成する素材には、流木などの浮遊物の衝突からフロート部３を保護するために、硬質ゴムや所要強度を有するポリ塩化ビニルなどの合成樹脂が用いられている。樹脂製のチューブ７に充填する発泡性樹脂として、熱硬化性ポリウレタン、及び熱可塑性ポリウレタンなどのウレタン樹脂、熱硬化性ポリエステル、及び熱可塑性ポリエステルなどのエステル樹脂、ポリスチレン、アクリロニトリル・ブタジエン・スチレン共重合樹脂（ＡＢＳ樹脂）などのスチレン樹脂、ポリエチレン、ポリプロピレン、及びポリメチルペンテンなどのオレフィン樹脂などが挙げられる。
【００２１】
発泡性樹脂以外であっても有効な浮力を与える樹脂であれば限定されない。更に樹脂製のチューブ７に発泡性樹脂を充填した構成とせずに、中実の樹脂素材を所用の形状に形成したものであってよい。フロート部３の左右の後端は先窄み状となっている。フロート部３の前方コーナ部分、及び左右の後部分に、衝撃を和らげるための耐衝撃部材１０が取り付けられている。
【００２２】
このように浮力を与える部分にエアを入れるのではなく、中実樹脂製のフロート部３を用いることで、穴あきによるエア漏れ、断裂による破損が無くなる。そのため、フロート部３に穴あきや破れなどの損傷が存在しても、プロペラ推進救命艇１が沈むことはなく、災害などの厳しい環境下でも救助者の安全性が保持され、要救助者の確実な捜索、救助を広範囲で行うことができる。更にプロペラ推進救命艇１の剛性が高められ、耐衝撃性が向上し、浮遊物や波に負けない走行性能を得ることができる。
【００２３】
船底２の上面に、プロペラ推進機４が取り付けられている。プロペラ推進機４は、軸芯を中心に回転可能なプロペラ１１で排出される排気によってプロペラ推進救命艇１を水上で走行させるものである。図６はプロペラ推進機４を設置する前のプロペラ推進救命艇１の平面図である。船底２の上面には、プロペラ推進機４を設置するための前後方向に長い４個のレール部材１２が左右に固定されている。プロペラ推進機４はエンジン１３、燃料タンク、エンジン１３に取り付けられたプロペラ１１などで構成されている。
【００２４】
本実施形態のエンジン１３には、ヒルト社製の航空機用の２サイクル、３０〜８０ｈｐ、空冷又は液冷型のものを使用している。プロペラ１１は、２〜４枚で樹脂製のものでピッチ角調整可能である。
【００２５】
プロペラ推進機４の下部に取付フレーム１５が固定されている。本実施形態の取付フレーム１５は、フレーム本体１６とこのフレーム本体１６から下方へ延びる４本のアーム１７で構成されている。取付フレーム１５は、鉄、アルミ、チタンなどが好適に用いられる。フレーム本体１６上にプロペラ推進機４が固定されて、これらが４本のアーム１７で支持されている。
【００２６】
前側の２本のアーム１７、１７は、それぞれ前側のレール部材１２、１２に前後移動自在に嵌め込まれており、後側の２本のアーム１７，１７は、それぞれ後側のレール部材１２、１２に前後移動自在に嵌め込まれている。これにより、プロペラ推進機４は、船底２に対して着脱自在、かつ前後移動可能に設けられている。
【００２７】
プロペラ推進機４の後方には、方向舵２０が取り付けられており、操縦桿６の操作によって走行する方向を変えることができる。プロペラ推進機４は、樹脂又は金属製のメッシュ状のカウリング２１によって囲われている。カウリング２１は、ナット止め、強力面ファスナー止めなどの取付手段によって着脱自在に取り付けられている。
【００２８】
本実施形態のプロペラ推進救命艇１によれば、船首となる船底２の前側及び、左右舷となる船底２の両側に固定されたフロート部３が、防舷性を有する樹脂製のチューブに硬質発泡ウレタンが充填されて構成されているため、船底２に浮力を与えるフロート部３に木の枝などの細長いものが突き刺さっても、エアが抜けるようなことはなく、プロペラ推進救命艇１の走行に全く影響せず、救命活動を続行することができる。
【００２９】
軸芯を中心に回転可能なプロペラ１１で排出される排気によってプロペラ推進救命艇１を水上で走行させるプロペラ推進機４を、船尾となる船底２の後部上に備えるため、多くの浮遊物などの障害物が散乱している区域に入っても、紐類、木の枝、植物などが、プロペラ推進救命艇１の障害にならず停止させることがない。そのため、要救助者まで確実にたどり着くことができ、災害区域の広範囲での活動が可能となる。これらにより、転覆し難く、かつ多くの障害物による走行への影響をなくすことができ、安定した救命活動を可能にすることができる。
【００３０】
プロペラ推進救命艇１を用いれば、水深０ｍの浅瀬、干潟地帯、氷上での走行が可能であり、レジャー、のり養殖業その他の目的での利用も可能である。港湾内や海水浴場などの比較的浅海を走行する際に、海底の砂を巻上げることや、海水浴客に危害を加えることがなく、漁業やレジャーに対しても安全に走行させることができる。
【００３１】
フロート部３を、防舷性を有する樹脂製のチューブに発泡ウレタン樹脂が充填されて構成されたものすることで、フロート部３を樹脂製の単一性の筒状部材で構成するよりも、船艇を軽くでき、かつ十分な浮力を簡易に得ることができる。
【００３２】
プロペラ推進機４が、船底２に対して着脱自在、かつ前後移動可能に設けられているため、プロペラ推進機４のメンテナンスが容易となり、またプロペラ推進救命艇１に乗る人の重量に応じて、前後方向のバランスを調整でき、適切な推進力と安定性を得ることができる。
【００３３】
プロペラ推進救命艇１の横断面において船底２が、フロート部３の下端よりも下方に位置していると共に、前後方向に延びる水平部２ａ及びこの水平部２ａ側端から上斜め方向に向けて当該左右のフロート部３下端に渡る傾斜部２ｂからなるため、水面からの船底２の抵抗が減少し、左右方向へプロペラ推進救命艇１を旋回させ易く、浮遊物を容易に避けることができる。
【００３４】
図７はプロペラ推進救命艇１の実施例である。自然災害などが発生したとき救助者は、プロペラ推進救命艇１を救命水域に浮かべて、船底２上に乗り込む。プロペラ推進機４を駆動させて、操縦桿６の操作によりプロペラ推進救命艇１を走行させる。救難水域では、水面上に流木などの浮遊物が多数あるため、プロペラ推進救命艇１を走行させると、フロート部３に浮遊物が衝突して、突き刺さって損傷することもあるが、プロペラ推進救命艇１は沈むことはなく、救命活動を安全かつ確実に行うことができる。特に、多くの瓦礫、岩場などの環境下でも確実な出動を可能にすることができる。
【００３５】
プロペラ推進救命艇１の使用を終了するときには、クレーンなどを用いてプロペラ推進救命艇１を吊り下げるか、複数人で持ち上げて陸上に待機させた車両の荷台などに降ろす。プロペラ推進救命艇１のプロペラ推進機４などを取り外した後、保管庫などに搬送され、真水などで洗浄した後、保管する。
【００３６】
本発明は上記実施形態、実施例に限定されず、プロペラ推進救命艇の形状、寸法、構成部材などは、本発明の機能を損なわない範囲で適宜変更できる。図８はプロペラ推進救命艇２５の他の実施形態を示す側面図である。本実施形態では、船底２に、陸上走行可能となる格納自在の車輪２６が設けられている。この場合、車輪２６を船底２から展開することで、陸上での走行も可能となり、水面から岸辺などに上陸して要救助者を所要の箇所まで運ぶことができる。
【００３７】
プロペラ推進救命艇のフロート部の前部分に、プロペラ推進救命艇を前方へ引っ張るためのウインチ、カウリングの上部に赤色灯などを取り付けてもよい。左右のフロート部にオール支持部を固定して、オールを使用できるようにしてもよい。本発明に係るプロペラ推進救命艇は、特許請求の範囲に記載した技術的範囲において変更可能である。
【符号の説明】
【００３８】
１、２５  プロペラ推進救命艇
２  船底
２ａ  水平部
２ｂ  傾斜部
３  フロート部
４  プロペラ推進機
５  操縦席
６  操縦桿
７  チューブ
８  硬質発泡ウレタン
９  硬質樹脂
１０  耐衝撃部材
１１  プロペラ
１２  レール部材
１３  エンジン
１５  取付フレーム
１６  フレーム本体
１７  アーム
２０  方向舵
２１  カウリング
２６  車輪
【図１】
2020157965.tif 000003
【図２】
2020157965.tif 000004
【図３】
2020157965.tif 000005
【図４】
2020157965.tif 000006
【図５】
2020157965.tif 000007
【図６】
2020157965.tif 000008
【図７】
2020157965.tif 000009
【図８】
2020157965.tif 000010